(57)【特許請求の範囲】
【請求項１】
油性廃水を浄化する方法において、当該方法が、デンドリティックポリアミン、デンドリティックポリアミドアミン、及びハイパーブランチポリエチレンイミンから成る群より選択された一又はそれ以上の乳化破壊剤を有効浄化量、前記廃水に加えるステップを具え、前記デンドリティックポリアミン、デンドリティックポリアミドアミン、及びハイパーブランチポリエチレンイミンは、グルコノラクトン、酸化アルキレン、３−クロロ−２−ヒドロキシプロパンスルホン酸の塩、ハロゲン化アルキル、ハロゲン化ベンジル、又は硫酸ジアルキルとの反応により官能化されていることを特徴とする方法。
【発明の詳細な説明】
【技術分野】
【０００１】
技術分野
本発明は、デンドリティックポリアミン、デンドリティックポリアミドアミン又はハイパーブランチポリエチレンイミン、又はこれらの官能性誘導体を用いて油性廃水を浄化する方法に関する。
【０００２】
本発明の背景
乳化炭化水素を含有する油性廃水は、製鉄及びアルミ業、化学プロセス業、自動車製造業、洗濯業、及び原油回収及び精製業を含む各種の工業で生じる。典型的な乳化炭化水素としては、潤滑剤、切削剤、タール、グリース、原油、ディーゼル油、ガソリン、灯油、ジェット燃料等が挙げられる。
【０００３】
通常、水中の乳化炭化水素は、数十乃至数千ｐｐｍの範囲で存在する。この残留炭化水素は、工業プロセスにおいて環境へ水を排出する前に又はこの水を再利用する前に取り除かれなければならない。また、環境への関心と政府の規制に加えて、工業プロセスにおける乳化油を含有する水を使用すると、実際に上記の業界の生産量を減らし、運転コストが増えるので、乳化炭化水素を効果的に除去することは、経済的な理由で極めて重要である。
【０００４】
乳化油を除去する最も効果的な方法の１つは、水浄化剤の使用を介するものである。歴史的に、乾燥ポリマ、溶液ポリマ、水溶性分散ポリマ、逆エマルジョンラテックス及び金属イオンを用いて、プロデューストウォータを処理してきた。各材料は、それ自身利点及び欠点を有する。乾燥ポリマは、輸送コストを低減する利点があるが（溶媒がないため体積が小さい）、同様の理由で、乾燥ポリマは、当該分野での使用の前に乾燥ポリマを溶解するために、特別な装置を必要とする。
【０００５】
ラテックスポリマの性能は、非常に優れており、頻繁に用いられている；しかし、ラテックスポリマ自体に一連の問題がある。ラテックスポリマは処理範囲が狭く、その結果、多くの場合、過剰処理となる。
また、使用前に反転させなければならない。従って、乾燥ポリマのように、油田に特別な装置を必要とする。非常に多くの場合この装置は入手できず、未反転生成物を使用すると、供給システムにおいて多くの閉塞問題を引き起こす。
【０００６】
多くの場合、溶液ポリマは、溶解度に限界があるので、非常に希薄である。また、溶液ポリマは、通常分散した油を凝集することが不可能であり、従って、凝集させるためには、別の化学物質（ラテックス又は分散ポリマ）を必要とする。従って、溶液ポリマは、この分野では逆エマルジョンを破壊するために用いられるが、第２の「最終生成物」を、水の浄化の最終段階で加える。
【０００７】
Ｆｅ３＋、Ｚｎ２＋、Ａｌ３＋等の金属イオンは、長い間逆エマルジョンを破壊するために用いられてきたが、近年は政府の規制によって、排出量のレベルが制限されている。また、金属イオンは逆エマルジョンを破壊する点で効果的であるが、油を凝集させるために別の化学物質を必要とする。
【０００８】
分散ポリマは、これらの問題のいくつかを解決するものであるが、全く問題がないわけではない。分散ポリマは水溶性であるが、分散ポリマの非常に大きな分子量、及びこの粘性に関連した希釈の変化は、非常に高度な給気システムを必要とする。このことは、多くの場合、当該分野における分散ポリマの使用の妨げとなる。
【０００９】
また、上記で挙げられた水浄化剤のうち最もよい水浄化剤のいくつかを用いて、石油化学工業の希釈蒸気システムの急冷水から残留油を取り除いた。エチレン製造プラントでは、急冷カラム（塔）で水を用いて、一次蒸留塔（一次精流塔）に残っているガスを冷却する。この塔の基部では、油が系に還流として戻る間に、熱くなった急冷水（ｈｏｔ  ｑｕｅｎｃｈ  ｗａｔｅｒ）が濃縮炭化水素から分離され、希釈蒸気発生器に送り返される。油と水が乳化すると、往々にして化学添加剤の使用によって２層の分離が促進されるが、他方、残留油が、希釈蒸気システムを汚染し、下流側で更なる汚染問題を引き起こす。この２層の分離は、系の保持時間が短いため即時に行うべきである。従って、製品が優れた性能を有することは必須である。
【００１０】
従って、油性廃水を浄化する効率的経済的で環境に優しい方法が依然として求められている。
【００１１】
本発明の概要
本発明は、グルコノラクトン、酸化アルキレン、３−クロロ−２−ヒドロキシプロパンスルホン酸の塩、ハロゲン化アルキル、ハロゲン化ベンジル、又は硫酸ジアルキルとの反応により官能化されたデンドリティックポリアミン、デンドリティックポリアミドアミン、及びハイパーブランチポリエチレンイミンから成る群より選択された一又はそれ以上の乳化破壊剤を有効浄化量、前記廃水に加えるステップを具える油性廃水を浄化する方法である。
【００１２】
本発明の詳細な説明
本発明の方法で用いられる好適な乳化破壊剤としては、水溶性及び油溶性デンドリティックポリアミン、デンドリティックポリアミドアミン、及びハイパーブランチポリエチレンイミン、及びデンドリティックポリアミン、デンドリティックポリアミドアミン、及びハイパーブランチポリエチレンイミンを、グルコノラクトン、酸化アルキレン、３−クロロ−２−ヒドロキシプロパンスルホン酸の塩、ハロゲン化アルキル、ハロゲン化ベンジル、及び硫化ジアルキルと反応させることによって生成したこれらの誘導体が挙げられる。
【００１３】
一実施例では、ポリアルキレンイミンの分子量は、約３００乃至約５，０００，０００ダルトンである。
【００１４】
一実施例では、ポリアルキレンイミンは、式
0005420899.tif 000002
のデンドリティックポリアミンであり、式中、Ｒ１及びＲ２は、Ｈ及び−（ＣＨ２ＣＨ２ＮＨ）ｍ−Ｈから各場合で独立して選択され、ここで、ｍは１乃至約４である。
【００１５】
典型的には、デンドリティックポリアミンは、アクリロニトリルとジアミノブタンの反応後、水素化することによって調製される。デンドリティックポリアミンは、商標名ＤＡＢ−ＡＭの下でウィスコンシン州ミルウォーキー所在のＡｌｄｒｉｃｈ社、及び商標名Ａｓｔｒａｍｏｌの下で、蘭国へレーン所在のＤＳＭ社を含む様々な供給源から市販で入手可能である。
【００１６】
一実施例では、デンドリティックポリアミンの分子量は、約３００乃至約４，０００ダルトンである。
【００１７】
本実施例による代表的なデンドリティックポリアミンとしては、 ＤＡＢ−Ａｍ−４（Ｒ１，Ｒ２＝Ｈ，ＭＷ３１６）、ＤＡＢ−Ａｍ−８（Ｒ１，Ｒ２＝−ＣＨ２ＣＨ２ＣＨ２ＮＨ２，ＭＷ７７３），ＤＡＢ−Ａｍ−１６（Ｒ１，Ｒ２＝−（ＣＨ２ＣＨ２ＣＨ２ＮＨ）２Ｈ，ＭＷ１６８７）及びＤＡＢ−Ａｍ−３２（Ｒ１，Ｒ２＝−（ＣＨ２ＣＨ２ＣＨ２ＮＨ）４Ｈ，ＭＷ３５１０）が挙げられる。
【００１８】
実施例では、ポリアルキレンイミンは、式
0005420899.tif 000003
のデンドリティックポリアミドアミンであり、式中、Ｒ３はＯＨ及び式−ＮＣＨ２ＣＨ２Ｎ（Ｒ４）２の群から各場合で独立して選択され、ここで、Ｒ４は、Ｈ及び式−ＣＨ２ＣＨ２ＣＯ２Ｒ６の群から各場合で独立して選択され、ここで、Ｒ６はＨ又は式−ＮＣＨ２ＣＨ２Ｎ（Ｒ７）２の群であり、ここで、Ｒ７は、Ｈ及び式−ＣＨ２ＣＨ２ＣＯ２Ｒ８の群から各場合で独立して選択され、ここで、Ｒ８は、Ｈ及び式−ＮＣＨ２ＣＨ２ＮＨ２の群から各場合で独立して選択される。
【００１９】
デンドリティックポリアミドアミンは、アクリル酸メチルに対するエチレンジアミンのマイケル付加し、次いで開始テトラエステルのエチレンジアミンによるアミド化によって調製される。アクリル酸メチルと、続くエチレンジアミンとの反応シーケンスは、所望の分子量が得られるまで繰り返される。また、デンドリティックポリアミドアミンは、例えば、商標名Ｓｔａｒｂｕｒｓｔの下でミシガン州ミッドランド所在のＤｅｎｄｒｉｔｅｃｈ社から市販で入手可能である。
【００２０】
実施例では、デンドリティックポリアミドアミンの分子量は、約２９６乃至約４，０００である。
【００２１】
本実施例による代表的なデンドリティックポリアミドアミンとしては、Ｓｔａｒｂｕｒｓｔ  Ｇｅｎ．−０．５（Ｒ３＝ＯＨ，ＭＷ２９６），Ｓｔａｒｂｕｒｓｔ  Ｇｅｎ．０（Ｒ３＝ＮＨＣＨ２ＣＨ２ＮＨ２，ＭＷ５１７），Ｓｔａｒｂｕｒｓｔ  Ｇｅｎ．０．５．（Ｒ３＝ＮＨＣＨ２ＣＨ２Ｎ（Ｒ１）２，Ｒ４＝ＣＨ２ＣＨ２ＣＯ２Ｈ），Ｓｔａｒｂｕｒｓｔ  Ｇｅｎ．１（Ｒ３＝ＮＨＣＨ２ＣＨ２Ｎ（Ｒ４），Ｒ４＝ＣＨ２ＣＨ２ＣＯＲ６，Ｒ６＝ＮＨＣＨ２ＣＨ２ＮＨ２，ＭＷ１４３０），Ｓｔａｒｂｕｒｓｔ  Ｇｅｎ．１．５（Ｒ３＝ＮＨＣＨ２ＣＨ２Ｎ（Ｒ４）２，Ｒ４＝ＣＨ２ＣＨ２ＣＯ２Ｒ６，Ｒ６＝ＮＨＣＨ２ＣＨ２（Ｒ７）２，Ｒ７＝ＣＨ２ＣＨ２ＣＯ２Ｈ），Ｓｔａｒｂｕｒｓｔ  Ｇｅｎ．２（Ｒ３＝ＮＨＣＨ２ＣＨ２Ｎ（Ｒ４）２，Ｒ４＝ＣＨ２ＣＨ２ＣＯＲ６，Ｒ５＝ＮＨＣＨ２ＣＨ２Ｎ（Ｒ７）；Ｒ７＝ＣＨ２ＣＨ２ＣＯＲ８，Ｒ８＝ＮＨＣＨ２ＣＨ２ＮＨ２，ＭＷ３２５６）が挙げられる。
【００２２】
一実施例では、ポリアルキレンイミンは、式
0005420899.tif 000004
のハイパーブランチポリエチレンイミンであり、式中、Ｒ５及びＲ１０は、Ｈ及び−（ＨＮＣＨ２ＣＨ２ＮＨ）ｒ−Ｈから各場合で独立して選択され、ｒは、１乃至約２００である。
【００２３】
一実施例では、ハイパーブランチポリエチレンイミンの分子量は、約８００乃至約２，０００，０００ダルトンである。
【００２４】
好適なハイパーブランチポリエチレンイミンは、国際公開番号第ＷＯ９７／２１７６０号に記載されているようなエチレンイミン（アジリジン）の触媒開環重合によって調製される。また、ハイパーブランチポリエチレンイミンは、商標名Ｌｕｐａｓｏｌの下で、ウィスコンシン州ミルウォーキー所在のＢＡＳＦ社から、及び商標名Ｅｐｏｍｉｎの下で、ニュージャージー州フォートリー所在のＳｕｍｍｉｔ  Ｓｐｅｃｉａｌｔｙ社から市販で入手可能である。
【００２５】
代表的なハイパーブランチポリエチレンイミンとしては、Ｌｕｐａｓｏｌ  ＦＧ（ＭＷ８００）、Ｌｕｐａｓｏｌ  Ｇ２０（ＭＷ１３００）、Ｌｕｐａｓｏｌ  ＰＲ８５１５（ＭＷ２，０００）、Ｌｕｐａｓｏｌ  Ｇ３５（ＭＷ２，０００）、Ｌｕｐａｓｏｌ  ＰＳ（ＭＷ７５０，０００）、Ｌｕｐａｓｏｌ  Ｐ（ＭＷ７５０，０００）、Ｌｕｐａｓｏｌ  ＳＫ（ＭＷ２，０００，０００）、Ｌｕｐａｓｏｌ  ＳＵ３１２、ＰＥＩ６００（Ａｌｄｒｉｃｈ社、ＭＷ６００）及びＥｐｏｍｉｎ００６（ＭＷ６００）が挙げられる。
【００２６】
実施例では、デンドリティックポリアミン、デンドリティックポリアミドアミン、又はハイパーブランチポリエチレンイミンは、ハロゲン化アルキル、ハロゲン化ベンジル、及び硫酸ジアルキルから選択された一又はそれ以上のアルキル化剤との反応によって官能化される。本明細書で用いられているように、「アルキル」は、１乃至約４つの炭素原子を有する直鎖又は分枝脂肪族炭化水素を意味する。「ベンジル」は、一又はそれ以上の芳香族水素原子が、アルキル、アルコキシ、ハロゲン、又はハロアルキル基と選択的に置換される式Ｃ６Ｈ４ＣＨ２−の群を意味する。硫酸ジアルキルは、式（Ｒ’Ｏ）２ＳＯ２の群を意味し、式中、Ｒ’はアルキルである。「ハロゲン」、「ハロゲン化物」、及び「ハロゲンの」は、Ｂｒ、Ｃｌ、Ｆ、又はＩを意味する。
【００２７】
実施例では、ハロゲン化アルキル、ハロゲン化ベンジル、及び硫酸ジアルキルは、ハロゲン化メチル、ハロゲン化ベンジル、及び硫酸ジメチルから成る群より選択される。
【００２８】
典型的なアルキル化手順では、デンドリティックポリアミン、デンドリティックポリアミドアミン、又はハイパーブランチポリエチレンイミンの５０％水溶液を僅かに過剰のアルキル化剤を用いて、約２時間還流しながら加熱する。次いで、この混合物を周囲温度に冷却して、所望の濃度、一般的には、約５０パーセントのポリマ活性に水で希釈する。また、一般的に「第４級化」誘導体、又は「第４級化合物（ｑｕａｔｓ）」といわれる代表的なアルキル化誘導体を表１に示す。
【００２９】
表１
代表的なアルキル化乳化破壊剤
0005420899.tif 000005
【００３０】
実施例では、デンドリティックポリアミン、デンドリティックポリアミドアミン、又はハイパーブランチポリエチレンイミンは、グルコノラクトンとの反応によって官能化される。
【００３１】
実施例では、デンドリティックポリアミン、デンドリティックポリアミドアミン、又はハイパーブランチポリエチレンイミンの分子量は、約３００乃至約７，０００ダルトンである。
【００３２】
典型的な手順では、デンドリティックポリアミン、デンドリティックポリアミドアミン、又はハイパーブランチポリエチレンイミンをＤＭＳＯに溶解させて、約１０倍の過剰のグルコノラクトンを、アルゴンでパージしつつ緩やかにかき混ぜながら加える。次いで、この混合物を約４０℃に徐々に温め、アルゴン雰囲気下で夜通し放置する。次いで、この混合物をイソプロパノールに注いで半流動残留物を形成して、フラスコの底に沈殿させる。この材料をメタノールで繰り返し洗浄すると、濃厚で粘性のある金色のタフィ状の材料のようなグルコノラクトン−キャップド誘導体が生じる。代表的なグルコノラクトンキャップド誘導体を表２に示す。
【００３３】
表２
代表的なグルコノラクトンキャップド乳化破壊剤
0005420899.tif 000006
【００３４】
実施例では、デンドリティックポリアミン、デンドリティックポリアミドアミン、又はハイパーブランチポリエチレンイミンは、３−クロロ−２−ヒドロキシ−３−スルホン酸又はこの塩との反応によって官能化される。
【００３５】
典型的な手順では、ポリアルキレンイミン、及びポリアルキレンイミンに対して約７０乃至約３００質量パーセントの１−クロロ−２−ヒドロキシ−３−スルホン酸ナトリウム塩を、約２０乃至４０パーセント活性で水中に溶解させる。この混合物を、反応ｐＨが安定するまで機械的シェーカ又はオーバーヘッドスターラによって撹拌する。これは、一般的に周囲温度で約７２時間又は還流で約４時間を必要とする。ｐＨは、典型的に、達成されるアルキル化の量に依存して２乃至３単位下がる。第１級アミンのアルキル化が、優れていると考えられているが、少量の第２級及び第３級アミンのアルキル化も可能である。
【００３６】
一実施例では、ポリアルキレンイミンは、ハイパーブランチポリエチレンイミンである。
【００３７】
一実施例では、デンドリティックポリアミン、デンドリティックポリアミドアミン、又はハイパーブランチポリエチレンイミンは、一又はそれ以上の酸化アルキレンとの反応によって官能化されて、ヒドロキシアルキル化誘導体を形成する。
【００３８】
ヒドロキシアルキル化誘導体は、約８０℃乃至約１３５℃の温度で、選択的にナトリウムメトキシド、カリウムｔｅｒｔ−ブトキシド、水酸化カリウム又は水酸化ナトリウム等といったアルカリ金属触媒の存在下で、デンドリティックポリアミン、デンドリティックポリアミドアミン、又はハイパーブランチポリエチレンイミンの水溶液を所望の量の酸化アルキレンと共に加熱することによって調製される。
【００３９】
この反応を圧力容器内で、又は水を継続的に除去しながら実行する。代替として、本反応は、酸化アルキレンの一部を加えて反応させ、次いで、必要に応じて、アルキレンの第２部分と追加の塩基を加える多段階で実行される。所望であれば、段階間に蒸留によって反応混合物から水を除去する。ポリアルキレンイミンのヒドロキシアルキル化の手順は、米国特許第５，４４５，７６７号及び国際公開公報第ＷＯ９７／２７８７９号に詳細に記載されており、これらは参照することによって、本明細書に組み込まれる。
【００４０】
本発明のヒドロキシアルキル化ポリエチレンイミンを調製するために有益な酸化アルキレンは、式
0005420899.tif 000007
を有し、式中、ＲはＨ又はＣ１乃至Ｃ４アルキルである。代表的な酸化アルキレンとしては、酸化エチレン、酸化プロピレン、ブチレン−５−オキシド（ｂｕｔｙｌｅｎｅ５  ｏｘｉｄｅ）等が挙げられる。
【００４１】
一実施例では、酸化アルキレンは、酸化エチレン及び酸化プロピレンから選択される。
【００４２】
一実施例では、ハイパーブランチポリエチレンイミンは、酸化エチレン、及び選択的に酸化プロピレンとの反応によって官能化される。
【００４３】
一実施例では、ハイパーブランチポリエチレンイミンは、ポリエチレンイミンのエチレン単位につき約１乃至約８５モル当量の酸化エチレンとの反応によって官能化される。
【００４４】
一実施例では、ハイパーブランチポリエチレンイミンは、ポリエチレンイミンのエチレン単位につき約５乃至約８５モル当量の酸化エチレン及び約５乃至約８５モル当量の酸化プロピレンとの反応によって官能化される。
【００４５】
一実施例では、ハイパーブランチポリエチレンイミンは、最初に酸化プロピレンと、次いで酸化エチレンと反応させる。
【００４６】
一実施例では、ハイパーブランチポリエチレンイミンは、ポリエチレンイミンのエチレン単位につき約５乃至約２５モル当量の酸化エチレン及び約８５乃至約９８モル当量の酸化プロピレンとの反応によって官能化される。
【００４７】
本発明による代表的なヒドロキシアルキル化ハイパーブランチポリエチレンイミンを表３に示す。
【００４８】
表３
代表的なオキシアルキル化ポリエチレンイミン
0005420899.tif 000008
【００４９】
好適な市販のオキシアルキル化ポリエチレンイミンとしては、ＢＡＳＦ社から入手可能なＬｕｐａｓｏｌ  ＳＣ−６１Ｂ、及びデラウェア州ニューキャッスル所在のＵｎｉｑｕｅｍａ社から入手可能なＫｅｍｅｌｉｘ  ３５５０Ｘ、３４２３Ｘ、３５４６Ｘ、Ｄ６００及び３５８２Ｘが挙げられる。
【００５０】
実施例では、本発明の乳化破壊剤は、油田プロデューストウォータの浄化に用いられる。
【００５１】
石油を生産し及び処理する間、ほとんどの原油は油中水エマルジョンの形状であり、その割合は、自然条件及び油層の使用歴に依存する。油層が古くなって枯渇するにつれて、石油と共に生産される水の量が増加し、従って、運用効率及び収益性が低下する。多くの場合、可採年数のある時点で、油田オペレータは、生成物中に水又は蒸気を入れることによって、石油生産を減少させ続ける。
【００５２】
この方法は、非常に広く用いられており、二次石油回収と呼ばれる。一次及び二次石油回収の双方において、生産した流体は乳化した水及び油から成る。油を回収するために、効率のよい分離プロセスと化学物質が用いられる。しかし、いくらかの油はプロデューストウォータ内で乳化して残留する。この水を油層内に入れて戻すか、環境に流出させるか、又は蒸気発生装置に向ける前に、この残留油を取り除かなくてはならない。
【００５３】
プロデューストウォータを浄化するために、本発明による乳化破壊剤は、典型的に、約５乃至約９０重量パーセントの濃度の水溶液として、プロデューストウォータに加えられる。また、メタノール及び／又はグリコール等のアルコールを組成物に加えて、低温でのその取扱特性を改善する。
【００５４】
ある種の用途では、約１００ｐｐｍ程度の投与量を必要とするが、プロデューストウォータを浄化するための典型的な投与範囲は、約０．５乃至約２０ｐｐｍの乳化破壊剤である。本発明の乳化破壊剤は、ラテックス又は分散ポリマのように容易に過剰処理せず、その素晴らしい溶解度のために、金属イオン組成物等の溶液から沈殿しない。
【００５５】
この乳化破壊剤は、乳化油が水から分離し、フロックとして水の表面に浮かぶことを助ける。このフロックは、次いで、スキミング、デカンティング、フィルタリング等を含む従来の手段によって水の表面から実質的に除去され、洗浄した水は再利用するか、環境に放出することができる。
【００５６】
別の実施例では、本発明の乳化破壊剤は、石油化学工業の廃水を浄化するために用いられる。
【００５７】
例えば、エチレン製造プラントでは、急冷カラム（塔）で水を用いて、一次蒸留塔（一次精流塔）に残っているガスを冷却する。この塔の基部では、油が系に戻る間、熱くなった急冷水（ｈｏｔ  ｑｕｅｎｃｈ  ｗａｔｅｒ）を濃縮炭化水素から分離して、希釈蒸気発生器に送り返す。油と水が乳化されると、残留油は希釈蒸気システムを汚染し、下流側に汚染の問題が生じる。更に、システム保持時間が短いため、この層は即時に分離されなければならない。この分離は、本発明のヒドロキシアルキル化ポリエチレンイミンの存在下で即時に生じる。
【００５８】
浄化有効投与量は、乳化安定性に依存し、様々な設備及び石油化学プラントの設計によって異なる。一般的に、ほとんどの石油化学工業用途では、約１乃至約４０ｐｐｍの乳化破壊剤を用いる。しかし、ある種の用途では最大２００ｐｐｍの生成物が必要とされる。
【００５９】
上記の記載は、次の例を参照することによってより良く理解されるであろう。これらの例は、例示のために存在し、本発明の範囲を限定することを意図していない。
【００６０】
例１
石油化学工業における代表的な乳化破壊剤の評価
本発明による代表的な乳化破壊剤の処理効率は、米国及び加国のいくつかの現場で評価された。全ての試験で、プロセス試料を採取して、３０分以内に用いられた。各プロセス試料は、５０ｍＬアリコートに分けて、これらのアリコートは６オンスボトルに入れられた。１本の６オンスボトルは未処理で放置し、その他のボトルには試験を行う製品を投与した。各試験場で、現行の乳化破壊剤と本発明の代表的な乳化破壊剤とを比較した。試験を行った現行の乳化破壊剤は、全てイリノイ州ナパービル所在のＮａｌｃｏ  Ｃｏｍｐａｎｙ社から入手可能であり：
ａ）市販品Ｉ−ジメチルアミン−エピクロロヒドリン（ＤＭＡＥＭ）等の溶液ポリマ−アンモニアターポリマ又はＤＭＡＥＭホモポリマ；
ｂ）市販品ＩＩ−塩化ベンジルをジメチルアミノエチルアクリラートと反応させて調製した第４級アンモニウム塩等の分散ポリマ；
ｃ）市販品ＩＩＩ−ジアリルジメチルアンモニウムクロリド／アクリルアミドラテックスポリマ等のラテックスポリマ；
が挙げられる。
【００６１】
投与後すぐにボトルにふたをし、ラベルを付けて、５０回６セット、ハンドシェイクし、撹拌後に５分間、水の浄化を評価した。ボトルの水の浄化は、濁度モードのＨａｃｈ２０００又はＨａｃｈ２０１０マルチメータを用いて決定した。全ての値はＮＴＵ単位で報告されている。低濁度はよりよい分離を示し、従ってよりよい性能を示す。この結果を表４に示す。
【００６２】
表４
代表的な乳化破壊剤の用量反応
0005420899.tif 000009
【００６３】
表４に示すように、本発明の代表的な乳化破壊剤は、現在市販されている処理剤と同様の能力を示す。乳化破壊剤は、低用量及び高用量（過処理を低リスクにする）同様の効率を示し、浄化特性が良好である。適用の容易さと合わせて、これらの乳化破壊剤は、現行の入手可能な処理剤を超える利点を示している。
【００６４】
また、時間の関数として反応を測定して、乳化破壊剤が水をどれだけ早く浄化するかを実証した。結果を表５に示す。
【００６５】
表５
代表的な乳化破壊剤の時間反応
0005420899.tif 000010
【００６６】
表４及び５は、本発明の乳化破壊剤が２つの広く用いられている２つの市販の製品の性能パターンにどれだけ近いかを示す。これらの乳化破壊剤は、広範囲の用量及び時間に渡って同様の汎用性及び効率性を示す。しかし、本発明の乳化破壊剤の最も大きな利点は、処理した水との相溶性に起因する。実質的な水の混和性は、これらの乳化破壊剤を適用しやすくし、処理した流れの中で沈殿しにくくする。
【００６７】
例２
油田における水浄化器の評価
また、油田プロデューストウォータを浄化するための代表的な乳化破壊剤の効率も、カリフォルニア州及びワイオミング州のいくつかの現場で評価した。２乃至５ガロンの油田プロデューストウォータを採取し、乳化の安定性に依存して、次の２乃至４時間以内に用いた。６オンスの透明ガラスボトルを１００ｍＬの水で満たして数回反転させ、乳化した流体でボトルを被覆した。処理化学物質を、１パーセント水溶液として個々のボトルに加えた。
【００６８】
投与後すぐに、ボトルを閉め、ラベルを付けて、撹拌した。試料を全て同じように撹拌し、系中の乱流をシミュレートした。試料を乳化安定性に応じて、５０回か１００回を６セット、ハンドシェイクし、水の浄化を、数セット（通常２乃至３セット）の撹拌を通して視覚的に評価した。
【００６９】
１本のボトルを未処理で放置し、その他のボトルには、試験を行う目的用量の生成物を入れた。各ボトルは独自の化学物質を含んでいる。いくつかのボトルで透明の水が観察されるまで、一連のシェイク、典型的には少なくとも３シリーズのシェイクを行った後に、読みを記録した。
【００７０】
ボトルの水を、このセット内で比較して、０乃至１０のスケールで等級を付けた。ここで、０は、試験の最初で完全に不透明なブランク試料を示すが、１０は、人が読み取ることができる透き通った水に割り振られている。
【００７１】
本発明の代表的な乳化破壊剤は、特定の場所で用いられる現行の市販の化学物質と比較し、選択された一連の基準物質とも比較した。この基準物質は、入手可能な主要な化学物質を示す一般的に用いられている水浄化剤から成る。これらの基準物質は、イリノイ州ナパービル所在のＮａｌｃｏ  Ｃｏｍｐａｎｙ社から全て入手できる次の生成物：
ｄ）金属イオン−市販品ＩＶ；
ｅ）溶液ポリマ−市販品Ｖ；
ｆ）分散ポリマ−市販品ＶＩ；
ｇ）ラテックスポリマ−市販品ＶＩＩ；
を含む。
【００７２】
この結果を表６乃至９に示す。
【００７３】
表６
ワイオミング州の現場での２０ｐｐｍの投与量での代表的な乳化破壊剤と市販の処理剤の比較
0005420899.tif 000011
【００７４】
表７
カリフォルニア州の現場での代表的な乳化破壊剤と市販の処理剤についての用量反応
0005420899.tif 000012
【００７５】
表８
カナダの現場での１４０ｐｐｍの投与量での代表的な乳化破壊剤と市販の処理剤の比較
0005420899.tif 000013
【００７６】
表９
カリフォルニア州の現場での代表的な乳化破壊剤と市販の処理剤に対する用量反応
0005420899.tif 000014
【００７７】
表６乃至９に示すように、本発明の代表的な乳化破壊剤は、現行の処理剤と比較した場合、広範な処理範囲に渡る低用量と、過剰処理する傾向が低い点において、比較できる又は優れた性能を示す。
【００７８】
特許請求の範囲に記載されている本発明の概念及び範囲から逸脱することなく、本明細書に記載されている本発明の方法の組成物、操作、構成を変更することが可能である。